(57)【要約】【課題】断面概ね矩形の長尺木質材を複数枚積み重ねたものを、互いの側部同士が突き合うようにして保管するための長尺木質材の積載保管方法において、湿度の変化に伴う両側部の伸縮の違いによる平面的な曲がりを確実にしかも安価に防止することができる長尺木質材およびその積載保管方法を提供する。【解決手段】長尺木質材１のそれぞれは、その裏面に、一方の側部１ａから他方の側部１ｂに走る通気溝２を複数個設けた構造にしている。【選択図】図１
2009154302.tif 000002
【特許請求の範囲】
【請求項１】
断面概ね矩形の長尺木質材を複数枚積み重ねたものを、互いの側部同士が突き合うようにして保管する長尺木質材の積載保管方法において、
前記長尺木質材のそれぞれは、その裏面に、一方の側部から他方の側部に走る通気溝を複数個設けた構造にしていることを特徴とする長尺木質材の積載保管方法。
【請求項２】
上記長尺木質材のそれぞれは、深さが０．５ｍｍ以上の通気溝を長手方向の間隔が６００ｍｍ以下になるようにして複数個設けた構造にしていることを特徴とする長尺木質材の積載保管方法。
【請求項３】
請求項１または２のいずれか１項において、
上記長尺木質材は、複数のものが透湿性の素材からなる梱包材で梱包されているものである長尺木質材の積載保管方法。
【請求項４】
裏面に、一方の側部から他方の側部に走る深さが０．５ｍｍ以上の通気溝を、長手方向の間隔が６００ｍｍ以下になるようにして複数個形成したことを特徴とする長尺木質材。
【請求項５】
請求項４において、
中質繊維板、ハードボード、パーティクルボード、のいずれかの木質繊維材を基材とする長尺木質材。
【請求項６】
請求項４乃至５のいずれか１項において、
上記長尺木質材は、複数枚のものが透湿性の素材からなる梱包材で梱包されているものである長尺木質材。
【発明の詳細な説明】
【技術分野】
【０００１】
本発明は、例えば床板などの長尺木質材を積載保管する方法と、それに使用される新規な長尺木質材に関する。
【背景技術】
【０００２】
一般に、床板などの長尺木質材は、断面概ね矩形に形成され、下地面の上に平面的に施工される。このような長尺木質材は、施工された後は、上面と下面は湿度の変化に伴なって伸縮の違いが発生し、板材に谷反りや山反りなどの曲がりを生じるという問題がある。
【０００３】
特に、ＭＤＦ（中密度木質繊維板）、ＨＤＦ（高密度木質繊維板）、ＰＢ（パーティクルボード）などを基材とする長尺木質材の場合は、合板を基材とする長尺木質材と比較して、吸湿時の寸法変化が大きく、積載保管時、吸湿や乾燥による製品の曲がりに対して対策が必要となることが多かった。対策としては、基材配合に耐湿性の高い材料を添加したり、基材表面に耐湿シートを貼着したり、梱包材に耐湿性をもたせたりすることで対応しているが、いずれも製造コストを大きく押し上げている。
【０００４】
そこで、従来より、このような長尺木質材には、長手方向に走る溝条を裏面に複数個形成して、板材の谷反りや山反りなどの発生を防止しようとするものが種々開発されている。
【０００５】
例えば、特許文献１には、幅反りを防止することを目的として、裏面の長手方向に沿って、床板用集成材の厚さに対して２０ないし５０％の範囲の深さとなる溝条を設けた床板が開示され提案されている。
【特許文献１】特開２００２−２２７３８９
【発明の開示】
【発明が解決しようとする課題】
【０００６】
また、このような長尺木質材は、工場で製造された後は、複数のものが積層状にまとめられ、梱包された状態で出荷され、互いの側部同士が突き合わされるようにして縦横に積載して倉庫などで保管されるが、このような保管時にも、保管場所内の湿度変化に伴なって反りが生じることがある。
【０００７】
特に、長尺木質材は、木質繊維材を圧縮して構成されているため、合板基材に比べて、吸湿時の寸法変化も大きく、積載保管時、吸湿や乾燥による板材の曲がりに対して対策が必要であり、そのために従来は、木質繊維材、それ自体に耐吸湿性の高い材料を添加したり、板材を耐湿シートに貼着したりして梱包材に耐吸湿性を持たせている。
【０００８】
図５は、従来より広く行われている長尺木質材の積載保管方法を示している。
長尺木質材２１は、図に示したように、梱包材２３で梱包された後、互いの側部同士が突き合うようにして縦横に積載保管されるが、空気に触れる外側部分と、空気に触れない内側部分とは、湿度変化が大きくなると伸縮の違いが発生して、板材に側面側の反りを生じてしまう。
【０００９】
例えば、図５では、Ａ、Ｄ、Ｃ、Ｂの順に湿度の変化に伴なう曲がりが大きくなり、特にＢは、一方の側部が外気に接するのに対し、他方の側部は空気に触れないために、湿度変化に伴なって双方の側部において著しい伸縮の違いが発生して外側部が伸び、そのため、図５に示すような側面に沿った反り２１ａ、２１ｂを生じる。
【００１０】
そして、このような積載保管時に生じる側面に沿った反りは、溝条を長手方向に設けた上述の特許文献１で提案された床板では、一方の側部から他方の側部へと空気が循環しないために効果的に防止することができなかった。
【００１１】
本発明は上記事情に鑑みてなされたものであり、互いの側部同士が突き合わされるようにして複数の長尺木質材が積載保管された場合でも、一方の側部から他方の側部へと良好な空気の循環を実現することにより湿度変化に伴う両側部の伸縮の違いによる側面に沿った反りを安価にかつ確実に防止することができる長尺木質材の積載保管方法及び、そのために使用する新規な長尺木質材を提供することを目的としている。
【課題を解決するための手段】
【００１２】
上記目的を解決するために、請求項１に記載の長尺木質材の積載保管方法は、断面概ね矩形の長尺木質材を複数枚積み重ねたものを、互いの側部同士が突き合うようにして保管する長尺木質材の積載保管方法において、前記長尺木質材のそれぞれは、その裏面に、一方の側部から他方の側部に走る通気溝を複数個設けた構造にしていることを特徴としている。
【００１３】
また、請求項２に記載の長尺木質材の積載保管方法においては、上記長尺木質材のそれぞれは、深さが０．５ｍｍ以上の通気溝を長手方向の間隔が６００ｍｍ以下になるようにして複数個設けた構造にしている。
【００１４】
また、請求項３に記載の長尺木質材の積載保管方法においては、上記長尺木質材は、複数のものが透湿性の素材からなる梱包材で梱包されている。
【００１５】
また、上記目的を解決するために、請求項４に記載の長尺木質材は、裏面に、一方の側部から他方の側部に走る深さが０．５ｍｍ以上の通気溝を、長手方向の間隔が６００ｍｍ以下になるようにして複数個形成したことを特徴としている。
【００１６】
また、請求項５に記載の長尺木質材においては、中質繊維板、ハードボード、パーティクルボード、のいずれかの木質繊維材が基材である。
【００１７】
また、請求項６に記載の長尺木質材においては、透湿性の素材からなる梱包材で梱包される。
【発明の効果】
【００１８】
請求項１に記載の長尺木質材の積載保管方法によれば、通気溝が一方の側部から他方の側部に抜けるように幅方向に設けられているので、互いの側部同士が突き合わされるようにして複数の長尺木質材が積載保管された場合にも、一方の側部から他方の側部へと良好な空気の循環を実現することができるので、湿度変化に伴う両側部の伸縮の違いによる前述した反りの発生が防止できる。
また、裏面に通気溝を形成するだけなので、製造段階で構成でき、安価に実現できる。
【００１９】
請求項２に記載の長尺木質材の積載保管方法によれば、長尺木質材のそれぞれは、深さが０．５ｍｍ以上の通気溝を長手方向の間隔が６００ｍｍ以下になるようにして複数個設けた構造にしているので、個々の長尺木質材において、通気溝の数がより多くなる。そのため、一方の側部から他方の側部へとより多く空気を循環させることができる結果、両側部の伸縮の違いによる平面的な曲がりをより確実に防ぐことができる。
【００２０】
請求項３に記載の長尺木質材の積載保管方法によれば、透湿性の素材からなる梱包材で梱包され、互いの側部同士が突き合わされるようにして積載保管されるような長尺木質材において、湿度の変化に伴う両側部の伸縮の違いによる平面的な曲がりを安価にかつ確実に防止することができる。
【００２１】
請求項４に記載の長尺木質材によれば、裏面に、一方の側部から他方の側部に走る深さが０．５ｍｍ以上の通気溝を、長手方向の間隔が６００ｍｍ以下になるようにして複数個形成しているので、互いの側部同士が突き合わされるようにして複数の長尺木質材が積載保管された場合、一方の側部から他方の側部へと良好な空気の循環を実現することができる。そのため、湿度の変化に伴う両側部の伸縮の違いによる平面的な曲がりを安価にかつ確実に防止することができる。
【００２２】
請求項５に記載の長尺木質材によれば、中質繊維板、ハードボード、パーティクルボード、のいずれかの木質繊維材を基材とする長尺木質材において、湿度の変化に伴う両側部の伸縮の違いによる平面的な曲がりを安価にかつ確実に防止することができる。
【００２３】
請求項６に記載の長尺木質材によれば、透湿性の素材からなる梱包材で梱包され、互いの側部同士が突き合わされるようにして積載保管される長尺木質材において、湿度の変化に伴う両側部の伸縮の違いによる平面的な曲がりを安価にかつ確実に防止することができる。
【発明を実施するための最良の形態】
【００２４】
以下、添付図面を参照しながら本発明の好ましい実施の一形態について説明する。図１は、本発明の実施の形態の長尺木質材の構成を示す説明図であり、（ａ）は、斜視図、（ｂ）は、短辺方向から見た側面図、（ｃ）は、長辺方向から見た側面図をそれぞれ示している。また、図２は、梱包される前の６枚の長尺木質材の構成を示す長辺方向から見た側面図であり、図３は、長尺木質材の積載保管要領を示す説明図である。
【００２５】
図１を参照して説明すると、長尺木質材１は、木質繊維材を基材とする標準床板サイズ（幅３０３ｍｍ、１８１８ｍｍ）の断面概ね矩形の長尺床板材である。
【００２６】
この長尺木質材１には、裏面に、一方の側部１ａから他方の側部１ｂに走る幅ａが６ｍｍ、深さｂが１ｍｍの通気溝２が、長手方向の間隔ｃが３００ｍｍになるようにして複数個、切削加工により形成されている。
【００２７】
そして、この長尺木質材１は、図２に示すように裏面の通気溝２同士が対向するように６枚を１組として重ねた後に、図３に示すように、透湿性の素材からなる梱包材３で梱包され、梱包体の状態で積載保管される。
【００２８】
図３には、例として横に３列、縦に３段、合計９組の梱包体が積載保管される実施形態が示されている。
【００２９】
このように、本発明の実施の形態の長尺木質材１およびその積載保管方法においては、図示のように、断面概ね矩形の長尺木質材１を複数枚積み重ねたものを、互いの側部同士が突き合うようにして保管する長尺木質材１の積載保管方法において、長尺木質材１のそれぞれは、その裏面に、一方の側部１ａから他方の側部１ｂに走る通気溝２を複数個設けた構造にしていることを特徴としている。
【００３０】
次に、図１から図３と、表１とを参照して、長尺木質材１の吸湿試験の実施例を説明しながら、本発明の実施の形態に係る長尺木質材１およびその積載保管方法の作用、効果について説明する。
【００３１】
表１は、図１から図３に示した木質繊維材を基材とする長尺木質材について、ＰＢ（パーティクルボード）の場合とＭＤＦ（中密度木質繊維板）の場合とのそれぞれについて通気溝あり、なしの場合の吸湿試験後の含水率と平面的曲がりを比較した表である。
【００３２】
【表１】
2009154302.tif 000003
【００３３】
ここで、実施例１と比較例１の長尺木質材１は、基材の木質繊維材としてＰＢ（パーティクルボード、ＳＴＰグレード、厚さ１２ｍｍ、）を採用している。
【００３４】
表面貼りについては、表面化粧突き板貼りが、厚さ０．３ｍｍのなら材スライス単板であり、ゴムラテックスエマルジョン系の貼り接着剤を用いて、温度１１５℃、圧力４ｋｇ／ｃｍ２、時間６０秒の貼りプレス条件で基材に接着されている。
【００３５】
裏面貼りについては、裏面突き板が、厚さ０．２ｍｍのなら材スライス単板であり、貼り工程は表面貼りと同様である。
【００３６】
また、塗装仕上げは、サイド、エンド実加工後、ウレタン塗装仕上げが施されている。
【００３７】
また、実施例２と比較例２の長尺木質材１は、基材の木質繊維材としてＭＤＦ（中質繊維板、イソシアネート系、厚さ６ｍｍ、）を採用しており、表面貼り、裏面貼り、塗装仕上げなどの他の条件は、実施例１と同様である。
【００３８】
また、比較例３の長尺木質材１は、メランテー合板（厚さ１２ｍｍ）を基材として採用しており、表面貼り、塗装仕上げについては、実施例１と同様であるが、裏面貼りや裏面の通気溝２は施されていない。
【００３９】
これら実施例１、実施例２、比較例１、比較例２、比較例３について以下の吸湿試験を行った。すなわち、６枚ずつ通常のダンボールにて梱包し、図に示すように、３段３列に積載した状態で４０℃、９０％の雰囲気で２週間保管した。そして、Ｂ、すなわち２段目の１、３列の梱包の６枚の長尺木質材１について含水率（１２枚の平均値）と曲がり（１２枚の平均値と、最大値）を測定した。
【００４０】
表１を参照してその結果を説明すると、ＰＢを基材とした長尺木質材１について、通気溝２ありの場合の実施例１と、通気溝２なしの場合の比較例１とを比較すると、比較例１において、吸湿試験後の含水率が、外側１２．７％、内側５．７％であり、平面的曲がりが、平均０．４ｍｍ、最大１．０ｍｍ、総合評価が、×不良であったのに対し、実施例１においては、吸湿試験後の含水率が、外側１２．４％、内側９．６％、平面的曲がりが、平均０．２ｍｍ、最大０．６ｍｍ、総合評価が、○良であった。
【００４１】
また、このＭＤＦを基材とした長尺木質材１について、通気溝２ありの場合の実施例２と、通気溝２なしの場合の比較例２とを比較すると、比較例２において、吸湿試験後の含水率が、外側１１．４％、内側５．４％であり、平面的曲がりが、平均０．４ｍｍ、最大０．９ｍｍ、総合評価が、×不良であったのに対し、実施例２においては、吸湿試験後の含水率が、外側１１．８％、内側８．９％、平面的曲がりが、平均０．２ｍｍ、最大０．５ｍｍ、総合評価が、○良であった。
【００４２】
このように、通気溝２ありの場合は、通気溝２なしの場合と比較して、ＰＢ、ＭＤＦともに、吸湿試験後の含水率が、両側部で大きく変化しておらず、両側部の伸縮の違いによる平面的な曲がりも、平均、最大ともに少なくなっており、比較例３の合板の場合と比較しても遜色ないことがわかる。
【００４３】
以上説明したように、本実施形態では、透湿性の素材からなる梱包材３で梱包され、互いの側部同士が突き合わされるようにして積載保管されるような木質繊維材を基材とする長尺木質材１において、一方の側部１ａから他方の側部１ｂへと良好な空気の循環を実現することができるので、湿度の変化に伴う両側部の伸縮の違いによる平面的な曲がりを安価にかつ確実に防止することができる。
【００４４】
また、特に、通気溝２を長手方向の間隔ｃが６００ｍｍ以下になるようにして複数個設けた構造にしているので、個々の長尺木質材１において、通気溝２の数がより多くなる。そのため、一方の側部１ａから他方の側部１ｂへとより多く空気を循環させることができる結果、両側部の伸縮の違いによる平面的な曲がりをより確実に防ぐことができる。
【００４５】
上述した実施の形態は本発明の好ましい具体例を例示したものに過ぎず、本発明は上述した実施の形態に限定されない。
【００４６】
例えば、長尺木質材１は、木質繊維材であれば、中質繊維板やパーティクルボードに限定されない。ハードボードのような木質繊維材にも適用可能である。
【００４７】
また、寸法も幅３０３ｍｍ、１８１８ｍｍに限定されない。種々の設計変更が可能である。
【００４８】
さらに、長尺木質材１の厚さ、表面貼りに、裏面貼り、塗装仕上げなどが必須でないのは言うまでもない。
【００４９】
また、通気溝２も、幅６ｍｍ、深さｂが１ｍｍ、長手方向の間隔ｃが３００ｍｍに限定されない。深さｂが０．５ｍｍ以上で、長手方向の間隔ｃが６００ｍｍ以下であれば、種々の溝が採用可能である。また、このように、通気溝２を、幅よりも深さが小寸で浅溝として形成することにより、長尺木質材１の強度を保持することができる。
【００５０】
また、梱包に際して、梱包の態様も必ずしも図２のように通気溝同士を対向させる必要はない。このように通気溝同士を対向させることにより、通気路の断面積が大きくなって空気の循環が良くなるが、例えば、図４の梱包の変形例を示す側面図のように一番上の長尺木質材１の通気溝だけを上に向けて、他の長尺木質材１の通気溝を下に向けて積み重ねてもよい。このように、各長尺木質材１の上下方向は限定されない。
【００５１】
また、梱包材３もダンボールに限定されず、透湿性の素材からなる梱包材３であればよい。
【００５２】
さらに、積載保管の態様も図３のような横に３列、縦に３段に限らず、何列何段であってもよい。
【００５３】
その他、本発明の特許請求の範囲内で種々の設計変更が可能であることはいうまでもない。
【図面の簡単な説明】
【００５４】
【図１】図１は、本発明の実施の形態の長尺木質材の構成を示す説明図であり、（ａ）は、斜視図、（ｂ）は、短辺方向から見た側面図、（ｃ）は、長辺方向から見た側面図をそれぞれ示している。
【図２】梱包される前の６枚の長尺木質材の構成を示す長辺方向から見た側面図である。
【図３】長尺木質材の積載保管要領を示す説明図である。
【図４】梱包の変形例を示す側面図である。
【図５】従来の長尺木質材の積載保管方法を示す概念図である。
【符号の説明】
【００５５】
１    長尺木質材
１ａ、１ｂ  側部
２    通気溝
３    梱包材
ｂ    深さ
ｃ    間隔
【図１】
2009154302.tif 000004
【図２】
2009154302.tif 000005
【図３】
2009154302.tif 000006
【図４】
2009154302.tif 000007
【図５】
2009154302.tif 000008